(57)【要約】【課題】脚押さえ体に簡単な改造を施すことによって、可動フードの固着状態を回避し、先端足部の厚さが異なっても良好な保持状態を確保できるリールシートを提供する。【解決手段】リール脚から竿元側に屈曲して延出されシートベースの元側載置面２Ｂに載置された元側足部１０ａを、可動フードＤ内に設けた脚押さえ体８で保持する。脚押さえ体８に元側足部１０ａを挿入して保持する足挿入空間８ａを凹入形成する。奥側縦壁８ｆを元側載置面２Ｂに近接する一端と元側足部１０ａの甲部に当接する甲側当接壁８ｄに接続する他端とに亘って形成する。奥側縦壁８ｆを、その奥側縦壁８ｆにおける他端側に位置する部分程、奥側に位置する傾斜面に形成してある。【選択図】図１０
2011010593.tif 000002
【特許請求の範囲】
【請求項１】
竿体の竿軸線方向に沿ってスライド移動自在な可動フードをシートベースに取り付け、リール脚から竿先側及び竿元側に屈曲して延出された先端足部を前記シートベースのリール脚載置面に載置し、前記先端足部を前記可動フード内に装着した脚押さえ体で保持すべく構成し、前記脚押さえ体に前記先端足部を挿入して保持する足挿入空間を凹入形成し、前記足挿入空間を囲む部位に、前記足挿入空間に挿入された前記先端足部の甲部分に当接する甲側当接壁と、前記甲側当接壁の奥端から前記シートベースのリール脚載置面側に向う奥側縦壁とを形成し、前記奥側縦壁を、前記リール脚載置面に近接する一端と前記甲側当接壁に接続する他端とに亘って形成し、前記奥側縦壁における他端側に位置する部分程、前記脚押さえ体の前記先端足部の挿入口から遠ざかるべく、前記奥側縦壁を傾斜面に形成してあるリールシート。
【発明の詳細な説明】
【技術分野】
【０００１】
本発明は、可動フードを備えているリールシートに関する。
【背景技術】
【０００２】
可動フードのフード本体内部には、リール脚の先端から竿先側に屈曲形成してある先側足部又は竿元側に屈曲形成した元側足部を挿入保持するための脚押さえ体を装着してある。
特許文献１の第２図に記載されたリールシートの構造を具体的に記載したのが図１３である。図１３に示すように、脚押さえ体８はアーチ状を呈する足挿入空間８ａを形成しており、足挿入空間８ａを囲む周壁部位には、その足挿入空間８ａに挿入された元側足部１０ａの甲部分に当接する甲側当接壁８ｄが形成してあり、甲側当接壁８ｄは一定の傾斜度を有する傾斜面に形成してあった（特許文献１及び図１３参照）。
【先行技術文献】
【特許文献】
【０００３】
【特許文献１】実開平３−９１７７２号公報（第２図）
【発明の概要】
【発明が解決しようとする課題】
【０００４】
上記した構成においては、足挿入空間内に元側足部を挿入した状態で、ナット部材を回転させて可動フードをリール脚に向けて移動させる際に、元側足部の甲側傾斜面を脚押さえ体の甲側当接壁が乗り上がり、可動フードが必要以上に元側足部を足挿入空間内に挿入させることがあり、可動フードが傾きを生じて固着状態に陥る虞がある。つまり、可動フードが元側足部の甲側傾斜面に乗り上がりを生ずると、可動フードが竿軸線に対して傾きを生じ、可動フードの固定フード側に対向する開口縁において、脚押さえ体を取り付けている足挿入空間の存在側とは竿軸線を挟んで１８０°反対側に位置する開口縁部分が、足挿入空間側に引き上げられるような状態となって、シートベース面に強く圧接することとなる。
そうすると、前記開口縁部分が塗装層内に食い込むこととなって塗装層を損傷させることとなるとともに、塗装層内への食い込み状態によって、可動フードが竿先側にも竿元側にも移動できない固着状態を生ずることもある。
【０００５】
本発明の目的は、脚押さえ体に簡単な改造を施すことによって、可動フードの固着状態を回避し、先端足部の厚さが異なっても良好な保持状態を確保できるリールシートを提供する点にある。
【課題を解決するための手段】
【０００６】
〔構成〕
請求項１に係る発明の特徴構成は、竿体の竿軸線方向に沿ってスライド移動自在な可動フードをシートベースに取り付け、リール脚から竿先側及び竿元側に屈曲して延出された先端足部を前記シートベースのリール脚載置面に載置し、前記先端足部を前記可動フード内に装着した脚押さえ体で保持すべく構成し、前記脚押さえ体に前記先端足部を挿入して保持する足挿入空間を凹入形成し、前記足挿入空間を囲む部位に、前記足挿入空間に挿入された前記先端足部の甲部分に当接する甲側当接壁と、前記甲側当接壁の奥端から前記シートベースのリール脚載置面側に向う奥側縦壁とを形成し、前記奥側縦壁を、前記リール脚載置面に近接する一端と前記甲側当接壁に接続する他端とに亘って形成し、前記奥側縦壁における他端側に位置する部分程、前記脚押さえ体の前記先端足部の挿入口から遠ざかるべく、前記奥側縦壁を傾斜面に形成してある点にあり、その作用効果は次の通りである。
【０００７】
〔作用〕
脚押さえ体の足挿入空間に、先端足部の甲部に当接する甲側当接壁と、この甲側当接壁の奥側で、かつ、先端足部の先端側端部に対向する状態で奥側縦壁を形成した。この奥側縦壁は、リール脚載置面に近接する一端と前記甲側当接壁に接続する他端とに亘って形成されており、その奥側縦壁における他端側に位置する部分程、前記脚押さえ体の前記先端足部の挿入口から遠ざかる奥側に位置する傾斜面に形成してある。
【０００８】
つまり、図１１に示すように、先端足部としての元側足部１０ａの竿元側端面におけるリール載置面２Ｂ側に位置する一端が奥側縦壁８ｆの下端部位ｂに当接する状態となり、元側足部１０ａの竿元側端面における甲側当接壁側に位置する他端が甲側当接壁８ｄの奥側部位ａに当接する状態となる。
【０００９】
したがって、元側足部１０ａは、奥側部位ａと下端部位ｂとの２点で保持されることとなるので、下端部位ｂで当接することによって可動フードＤの前記した乗り上がり状態が抑制され、固着状態が回避される。一方、奥側部位ａと下端部位ｂとで当接する状態を維持するので、元側足部１０ａの厚み方向でのガタツキも抑制されることとなる。
【００１０】
しかも、元側足部１０ａの仕様が異なり、元側足部１０ａの厚みＴが薄いリールであっても、図１１に示すように、元側足部１０ａの竿元側端面の当接部位が下端部位ｂから上方部位ｄ、及び、奥側部位ａが更に奥側に位置する奥側部位ｃに切り換わるだけで、２点支持状態は維持されており、上記した固着状態やガタツキの発生が抑制される（図面上で、厚みの薄い元側足部１０ａが上方側に変位して保持されるのは、図１に示すように、スピニングリール１０がリールシート２の下方に位置する状態で取り付けられるからである）。
【００１１】
〔効果〕
以上のように、足挿入空間に奥側縦壁を形成し、その奥側縦壁の傾斜方向に工夫を凝らすことによって、可動フードの元側足部への乗り上がり、可動フードの固着現象等を抑制し、かつ、元側足部の厚みの異なるリールに対しても適用できるリールシートを提供することができた。
【図面の簡単な説明】
【００１２】
【図１】釣り竿を示す全体側面図である。
【図２】グリップ被覆体と可動フードをシートベースに取り付ける前の状態を示す分解斜視図である。
【図３】シートベースに可動フードを取り付ける前の状態を示す分解斜視図である。
【図４】シートベースに可動フード、グリップ被覆体を装着した状態を示す斜視図である。
【図５】グリップ被覆体と可動フードをシートベースに取り付ける前の状態を示す分解側面図である。
【図６】（ａ）シートベースに可動フード、グリップ被覆体を装着したリールシートを示す平面図、（ｂ）シートベースに可動フード、グリップ被覆体を装着したリールシートを示す側面図である。
【図７】グリップ被覆体と可動フードをシートベースに取り付ける前の状態を示す分解縦断側面図である。
【図８】シートベースに可動フード、グリップ被覆体を装着したリールシートを示す縦断側面図である。
【図９】可動フードをシートベースに装着した状態を示す縦断正面図である。
【図１０】可動フードで元側足部を保持した状態を示す縦断側面図である。
【図１１】可動フードに装着した脚押さえ体の甲側当接壁と奥側縦壁と、元側足部との位置関係を示す縦断側面図である。
【図１２】シートベースとして、ゴムグリップや可動フード、ナット部材等が異なる仕様となるものに、本願発明を適用した別実施構造を示す縦断側面図である。
【図１３】従来の脚押さえ体と元側足部との挿入保持状態を示す縦断側面図である。
【発明を実施するための形態】
【００１３】
〔第１実施形態〕
本発明を釣り竿Ａに適用する形態について説明する。
釣り竿Ａは、図１〜４に示すように、握り部を備えた竿体としての元竿１に、スピンニングリール１０を取り付ける筒状リールシートＢを装着し、筒状リールシートＢのシートベース２に可動フードＤを取り付けて構成してある。
【００１４】
シートベース２には、可動フードＤと協働でスピニングリール１０のリール脚１０Ａの先端において竿先側に屈曲形成されている先側足部（先端足部の一例）１０ａを保持する固定フード３が一体形成されており、固定フード３の形成部位より竿元側に可動フードＤを螺着する雄ねじ部４が設けてある。
図４，８，９に示すように、可動フードＤには、リール脚１０Ａの先端において竿元側に屈曲形成されている元側足部（先端足部の一例）１０ａを保持するフード本体５と、フード本体５内に装着されている樹脂製の脚押さえ体８と、フード本体５を竿軸線Ｘ方向に螺進移動させるナット体７とが装備されている。
【００１５】
シートベース２について説明する。
図５に示すように、シートベース２は、ポリエステル、ＡＢＳ、ＰＥＴ等のエンジニアリング樹脂を使用した筒状体である。前記したように、竿先半部に外向きに盛り上がっている固定フード３を形成してあり、固定フード３のフード内部に入り込む状態で先側載置面２Ａを形成してある。この先側載置面２Ａでリール脚１０Ａの先端において竿先側に屈曲形成されている先側足部１０ａを載置支持すべく構成してある。
先側載置面２Ａの竿元側に、位置決め用の環状鍔２Ｃが設けてあり、環状鍔２Ｃの更に竿元側に、可動フードＤ内に入り込む元側載置面２Ｂを形成してある。元側載置面２Ｂでリール脚１０Ａの先端において竿元側に屈曲形成されている元側足部１０ａを載置支持すべく構成してある。
【００１６】
環状鍔２Ｃは、図２及び図５に示すように、元側載置面２Ｂの両横側方に幾分張り出した状態から略シートベース２の周面に沿って周回する状態で巡らされている。環状鍔２Ｃより竿先側には、環状鍔２Ｃから竿先側に向けて、後記するグリップ被覆体としてのゴムグリップ６の取付座２Ｄを形成してある。取付座２Ｄは、環状鍔２Ｃより一段凹入する面に形成してあり、図４及び図６に示すように、ゴムグリップ６をこの取付座２Ｄに装着した際に、ゴムグリップ６の外周面と環状鍔２Ｃの外周縁とを面一状態に設定して、高さを揃えるように形成してある。
【００１７】
図２及び図５に示すように、固定フード３は、取付座２Ｄより一段突出する状態に外面３Ａが形成してあり、固定フード３の外面３Ａも、ゴムグリップ６を取付座２Ｄに装着した状態で、そのゴムグリップ６の外面と面一状態となるように構成してある。
取付座２Ｄにおける固定フード３の存在側とは反対側の面と固定フード３の横側方側の面には、シートベース２の軸線方向に沿った突条２ａが形成してあり、この突条２ａが取付座２Ｄに装着したゴムグリップ６の内周面に形成した後記する長溝６ｅに係合して、ゴムグリップ６の捲れ上がりを抑制する構成を採っている。
【００１８】
先側載置面２Ａと元側載置面２Ｂとの間にも、一段凹入する面としての繋ぎ部分２ｃが形成してあり、取付座２Ｄの他の部分と段差の無い状態に連なっており、先側載置面２Ａと元側載置面２Ｂとの間の繋ぎ部分２ｃも取付座２Ｄの一部を形成する。後記するゴムグリップ６を取付座２Ｄに装着した状態で、ゴムグリップ６の外面と、先側載置面２Ａ及び元側載置面２Ｂとが面一状態となるように構成してある。
【００１９】
シートベース２におけるリール脚１０Ａの先側足部１０ａと元側足部１０ａを載置する部位について詳述する。図２及び図４〜図８に示すように、先側載置面２Ａは断面形状としては前記したように、円弧状を呈する形状を採っているが、図６に示すように平面視では、竿元側に向う程、徐々に、左右方向での横幅を狭める形状を呈している。
一方、元側載置面２Ｂは略一定の広い横幅を呈し、竿元側端部において左右方向での横幅を狭める形状を呈している。図６に示すように、先側載置面２Ａと元側載置面２Ｂとの間でゴムグリップ６の取付座２Ｄの一部を形成する繋ぎ部分２ｃにおいては、先側載置面２Ａの竿元側端の横幅Ｌ１と元側載置面２Ｂの竿先側端の横幅Ｌ２とに連続的に繋がるような横幅を呈している。
【００２０】
先側載置面２Ａの両横側方には、皿状の左右の先側傾斜凹入面２ｅを形成してあり、この皿状の左右の先側傾斜凹入面２ｅは、竿軸芯方向に向けて僅かに凹入する形状に形成してあり、かつ、左右の先側傾斜凹入面２ｅにおける先側載置面２Ａ側に位置する端部ほど左右の間隔を狭める上向きの傾斜状態に形成してある。元側載置面２Ｂの両横側方にも、同じように、上向きの元側傾斜凹入面２ｆを形成してあり、更に、取付座２Ｄにおいて繋ぎ部分２ｃ以外の周面部分は、取付座２Ｄの一部を構成する円弧状面２ｇに形成してある。円弧状面２ｇは、取付座２Ｄの一部を構成する部分であるので、竿先側に位置する斜め上向き先側傾斜凹入面２ｅと竿元側に位置する斜め上向きの元側傾斜凹入面２ｆよりも、ゴムグリップ６の厚みに相当するだけの深さで凹入形成されている。
【００２１】
次に、ゴムグリップ６について説明する。図２及び図４〜図８に示すように、ゴムグリップ６は、ＮＢＲ等のゴムを材料とした筒状体であり、取付座２Ｄに装着した状態で固定フード３をゴムグリップ６より突出させるように、楕円状の抜き孔６Ａが形成してある。
【００２２】
ゴムグリップ６における抜き孔６Ａより竿先側の部分６Ｃは、竿先側の開口部６ｂに近接する程小径化する緩円錐筒状に形成してある。一方、ゴムグリップ６の竿元側にも筒状の竿元側の部分６Ｄが形成してあり、竿元側の部分６Ｄには円弧状を呈する載置面部６ｃと、その載置面部６ｃの両横側方側に竿軸芯方向に向けて凹入する状態で、かつ、載置面部６ｃ側に位置する端部ほど互いの左右間隔を狭めるように上向き傾斜状態にある皿状の左右の中間傾斜凹入面部６ｄが形成してある。
中間傾斜凹入面部６ｄによって、ゴムグリップ６を所定位置に装着した際に、シートベース２に形成された斜め上向き傾斜凹入面２ｅとゴムグリップ６の斜め上向き傾斜面６ｄとが段差無く繋がることとなっている。
【００２３】
図５〜図８に示すように、抜き孔６Ａの存在側とは１８０°反対側には、他の部分よりやや外方に膨出する膨出部６Ｂが設けてあり、この膨出部６Ｂに宛がわれる手指が滑り難いように、表面加工が施してある。つまり、表面の滑りを抑制するために、細かい凹凸を形成する梨地加工が施してある。
この膨出部６Ｂの内周面には、抜き孔６Ａの存在側とは１８０°反対側及び左右の両側面の３箇所に、竿軸線Ｘ方向に沿った細幅の長溝６ｅが形成してある。ゴムグリップ６をシートベース２に装着した際に、シートベース２に突出形成した突条２ａに細幅の長溝６ｅが外嵌係合して、ゴムグリップ６の位置決めを行うとともにゴムグリップ６の捲れ上がりを抑制する構成を採っている。
【００２４】
以上のような構成になるゴムグリップ６を、図４に示すように、竿元側開口６ａから取付座２Ｄに外嵌装着すると、ゴムグリップ６の外面が固定フード３の外面３Ａと面一状態に、かつ、竿元側開口６ａを囲む外縁が環状鍔２Ｃに当接し、ゴムグリップ６の外面が環状鍔２Ｃの外面と面一状態に連なる。
【００２５】
図４及び図６に示すように、ゴムグリップ６を取付座２Ｄに装着した状態で、先側載置面２Ａと、元側載置面２Ｂと、ゴムグリップ６における載置面部６ｃとを、竿軸線Ｘに沿った方向で連続する足部載置面に形成する。図６（ａ）に示すように、足部載置面の横幅を、竿軸線Ｘに沿った方向で中間に位置する部分の横幅ほど絞り込んで狭くなるように形成してある。
【００２６】
先側載置面２Ａ、元側載置面２Ｂの両横側方に位置する部分を円弧面に形成するのではなく、前記した先側傾斜凹入面２ｅとして皿状の上向きの傾斜面に形成することによって、その両側方に対応する部分の外径を小さくでき、かつ、足部載置面の竿軸線に沿った方向で中間に位置する部分の横幅ほど絞り込んで狭くなるように形成したので、シートベース２に取付られたリール脚１０Ａの先側足部１０ａ、及び、元側足部１０ａをそのシートベース２とともに握り込む際に握り易い。
しかも、後記するように、ゴムグリップ６を円弧状面２ｇに装着した際に、ゴムグリップ６に形成した中間傾斜凹入面６ｄが、竿先側に位置する斜め上向きの先側傾斜凹入面２ｅと段差なく連続する状態となるので、手指や掌を圧迫することが少なく、仕掛けの打ち込みや魚の釣り上げ操作を行う場合に、手が痛くならず負担も少ない。
【００２７】
可動フードＤについて説明する。図２〜図９に示すように、可動フードＤは、アルミニュウムやチタン等の軽量金属製のフード本体５と、そのフード本体５のリール脚挿入用保持部５ａに内装されるゴム製または合成樹脂製の脚押さえ体８とを装備している。
脚押さえ体８は、リール脚挿入用保持部５ａに内装されるように、略円弧状を呈するものであり、フード本体５の竿先側端に鍔部８ｂを突出させるとともに、左右中央部に突起８ｃを設け、この突起８ｃをフード本体５の天井部分に形成した抜き孔５ｄ内に嵌合させて、脚押さえ体８の位置決めを行っている。
【００２８】
フード本体５は、図９に示すように、断面形状として、シートベース２に外嵌する略４分の３円弧状を呈する部分とアーチ状を呈するリール脚挿入用保持部５ａとを一体形成した縦長い楕円状を呈するものであり、成形型で一体形成される。
フード本体５は、前記したように、成形型で一体形成されるものであるために、従来は、シートベース２の外周面に密着する程高い成型性を示してはいないので、フード本体５を所定位置に装着した状態で、円周方向でのガタ付きが出ることは否めなかった。
【００２９】
そこで、ズレ動き抑制機構Ｃを設けてそのガタ付きを抑制することとした。ここでは、まず、フード本体５と脚押さえ体８との取り付け構造について説明しその後ズレ動き抑制機構Ｃについて説明する。
つまり、図９に示すように、フード本体５における略４分の３円弧状を呈する部分とアーチ状を呈するリール脚挿入用保持部５ａとの接続部位近傍には、上向き段差部５ｅが設けてある。
一方、脚押さえ体８には、左右の両下端部近傍の外面に下向き段差部８ｇが形成してある。脚押さえ体８をフード本体５のリール脚挿入用保持部５ａ内に挿入した際に、脚押さえ体８の下向き段差部８ｇがフード本体５の上向き段差部５ｅに上方から当接して、脚押さえ体８が装着支持される。
【００３０】
脚押さえ体８の左右両側下端部には、厚さの薄い袴部８ｈが下方に向けて延出してあり、袴部８ｈは下方に向って徐々に厚みを薄くする構成を採っている。一方、シートベース２の袴部８ｈに対応する外面は、前記したように、上向きに凹入傾斜する皿状の元側傾斜凹入面２ｆが形成してある。そして、袴部８ｈが元側凹入面２ｆに接触し受止られることによって、袴部８ｈの下端部をフード本体５とシートベース２の外周面とで挟み込み固定するように構成してある。
【００３１】
ここで、袴部８ｈを当接部と称する。元側傾斜凹入面２ｆを受け部と称する。
このような袴部（当接部）８ｈと元側傾斜凹入面（受け部）２ｆとで、ズレ動き抑制機構Ｃを構成してある。
このような構成によって、可動フードＤが脚押さえ体８とともに、円周方向へ回転しようとしても、袴部８ｈの下端部がフード本体５とシートベース２の外周面とで挟み込み固定されて回転が抑制される。したがって、可動フードＤの円周方向でのガタ付きが抑制され、筒状リールシートＢを握る手指が安定する。
【００３２】
このように、金属製のフード本体５ではなく、樹脂製またはゴム製の脚押さえ体８に袴部８ｈを形成することによって、ズレ動き抑制機構Ｃを構成した。したがって、フード本体５とシートベース２の外周面とが多少の固体誤差を持って形成された場合にも、脚押さえ体８の樹脂またはゴムの弾性変形力によって、袴部８ｈの下端部をフード本体５とシートベース２の外周面とで挟み込み固定する状態が確実に維持されて、良好なズレ動き抑制機能を発揮するズレ動き抑制機構Ｃが構成される。
【００３３】
脚押さえ体８の元側足部１０ａに対する保持構造について説明する。図１０及び図１１に示すように、脚押さえ体８は、竿先端に鍔部８ｂを形成し、その鍔部８ｂの竿元側に断面がアーチ状を呈する略一定の肉厚の本体部８Ａを形成してある。本体部８Ａの内周面には、元側足部１０ａを挿入して保持する足挿入空間８ａを凹入形成してある。足挿入空間８ａを囲む周壁部位には、その足部挿入空間８ａに挿入された元側足部１０ａの甲部分に当接する甲側当接壁８ｄを設けてあり、甲側当接壁８ｄに加えて甲側当接壁８ｄの奥端から竿軸芯に向けて屈曲形成され、かつ、元側足部１０ａの竿元側端を受け止める奥側縦壁８ｆを形成してある。奥側縦壁８ｆは、元側載置面２Ｂに近接する一端と甲側当接壁８ｄに接続する他端とに亘って形成してあり、他端側に位置する程奥側に入り込む傾斜面に形成してある。
【００３４】
このように、奥側縦壁８ｆを傾斜面に形成してあるので、次のようなことが言える。つまり、足挿入空間８ａに挿入された元側足部１０ａに対して、元側足部１０ａの甲部分の傾斜面１０ｂが甲側当接壁８ｄに当接するとともに、元側足部１０ａの竿元側端が奥側縦壁８ｆに当接する。
【００３５】
図１１に示すように、先端足部としての元側足部１０ａの竿元側端面におけるリール載置面側に位置する一端が奥側縦壁８ｆの下端部位ｂに当接する状態となり、元側足部１０ａの竿元側端面における甲側当接壁８ｄ側に位置する他端が甲側当接壁８ｄの奥側部位ａに当接する状態となる。
以上のように、元側足部１０ａは足挿入空間８ａにおいて、奥側部位ａと下側部位ｂとの２点で支持されるので、位置決めが良好に行われる。
また、スピニングリール１０は、図1に示すように、元竿５の下側に装着されるので、図１１に示すように、元側足部１０ａの厚みＴが薄いものであっても、元側足部１０ａの甲部分の傾斜面１０ｂの竿元側端は甲側当接壁８ｄの奥側部位ａより更に奥側部位ｃで当接し、元側足部１０ａの竿元側端面におけるリール載置面側に位置する一端が奥側縦壁８ｆの下端部位ｂより上方部位ｄに当接する。
【００３６】
したがって、奥側縦壁８ｆを元側載置面２Ｂから離れて甲側当接壁８ｄに近接する程、奥側に入り込む傾斜面に形成してあるので、元側足部１０ａの厚みＴが異なるものであっても、上記したように、２点当たり状態を維持でき、安定した支持状態を確立できる。
このような構成によって、従来技術項で記載したような、可動フードＤが元側足部１０ａの甲部分に乗り上がる状態や固着する現象を回避できる。
【００３７】
図３及び図７〜図９に示すように、可動フードＤのリール脚挿入用保持部５ａとは１８０°反対側には、竿軸芯方向に向けて内向きに突出する係合突起５ｎが設けてある。シートベース２の雄ねじ部４にガイド溝４ａが形成してある。このガイド溝４ａに係合突起５ｎを係合させることによって、可動フードＤをナット体７の回転によって、シートベース２の軸線方向に沿ってスライド移動可能に構成してある。
【００３８】
図２〜図６に示すように、可動フードＤのフード本体５は、リール脚１０Ａを保持するリール脚挿入用保持部５ａから竿元側に向けて外径が細くなる中間縮径部５ｊを形成してあり、中間縮径部５ｊより竿元側に中間縮径部５ｊの外径より大径の受止部５ｋを形成してある。
【００３９】
以上のような構成により、リール脚１０Ａと筒状リールシートＢとを共握りして釣り動作を行う場合に、手の掌がゴムグリップ６の膨出部６Ｂに掛って竿先側への移動が抑制される状態にあり、小指が可動フードＤの中間縮径部５ｊに掛って受止部５ｋによって竿元側への移動が抑制されており、握りの状態が安定する構成となっている。
【００４０】
図２〜図６に示すように、ゴムグリップ６を受け止める環状鍔２Ｃは、元側載置面２Ｂを除く全周面に亘って巡らされており、元側載置面２Ｂ存在側とは１８０°反対側に至る程、竿元側に偏位するように形成されている。このような構成によって、環状鍔２Ｃに当接して位置決めされるゴムグリップ６の竿元側端は、元側載置面２Ｂ存在側とは１８０°反対側において、竿元側に入り込んで位置することとなる。つまり、図５及び図６に示すように、環状鍔２Ｃの竿先端側において想定した基準線Ｙよりも、ゴムグリップ６の竿元側端は、竿元側に延出されている。
【００４１】
しかも、可動フードＤにおいても、図５及び図７に示すように、フード本体５の竿先側端５Ｃの開口縁の側面視形状は、リール脚挿入保持部５ａを形成する上半部５ｆとシートベース２に外嵌される下半部５ｐとの中間位置に対応する部分が、最も竿先側に突出する形状に形成してある。下半部５ｐでは、環状鍔２Ｃに沿うように、リール脚挿入保持部５ａの存在側とは１８０°反対側に至る程、フード本体５の竿先側端５Ｃの開口縁の側面視形状が竿元側に偏位する状態に形成されている。
【００４２】
したがって、環状鍔２Ｃと可動フードＤとが共にリール脚載置側とは１８０°反対側の面において竿元側に偏位した形状を呈するので、前記した基準線Ｙよりも竿元側において、ゴムグリップ６が竿元側に入り込んで露出する状態にある。
このような構成によって、リール脚１０Ａをシートベース２と共に握った手指における親指部分がゴムグリップ６に当てがわれることとなって、圧迫感を感じることが少ない。
【００４３】
なお、図１及び図４に示すように、可動フードＤは、環状鍔２Ｃに当接することによって、固定フード３の存在側への移動が規制されている。つまり、可動フードＤのリール脚挿入用保持部５ａに装着された脚押さえ体８の左右両側端が、環状鍔２Ｃの上端に当接するとともに、フード本体５の竿先側端５Ｃも環状鍔２Ｃに当接して、固定フード３側への移動が規制される。
このような構成によって、可動フードＤの外周面と環状鍔２Ｃとゴムグリップ６の外周面とが略面一状態に連なることとなり、その部分を握る手に圧迫感を与えることが少ない。
【００４４】
図３及び図７〜図９に示すように、可動フードＤのリール脚挿入用保持部５ａとは１８０°反対側には、内向きに突出する係合突起５ｎが設けてあり、シートベース２の竿元端に設けてある雄ねじ部４に形成したガイド溝４ａに係合突起５ｎを係合させることによって、可動フードＤをナット体７の回転によって、シートベース２の軸線方向に沿ってスライド移動可能に構成してある。
【００４５】
〔第１実施形態における別実施形態〕
（１）  上記した可動フードＤに装着する脚押さえ体８の構成は、板状リールシートの可動フードＤにおける脚押さえ体８の構成に適用してもよい。
（２）  リール脚１０Ａを保持する一対のフードとしては、共に可動フードＤで構成してもよい。
（３）  一対のフードの内の可動フードＤをリールシート２に装着する位置としては、竿元側又は竿先側のいずれであってもよい。
【００４６】
〔第２実施形態〕
第１実施形態の内、シートベース２に環状鍔２Ｃを形成していない実施形態のものを第２実施形態とする。したがって、環状鍔２Ｃの存在しない部分はシートベース２の他の外周面と面一状態となる。
【００４７】
〔第３実施形態〕
第１実施形態の内、シートベース２にゴムグリップ６を装着していない実施形態のものを第３実施形態とする。従って、シートベース２に形成したゴムグリップ６を装着する為の取付座２Ｄはなく、シートベース２の外面は固定ガイド３の外面と面一状態で形成される。
【００４８】
〔第４実施形態〕
第１実施形態の内、ズレ動き抑制機構Ｃは設けない実施形態のものを第４実施形態とする。従って、脚押さえ体５Ｂの袴部５ｈは形成しない。
【００４９】
〔第５実施形態〕
第１実施形態の内、シートベース２には先側傾斜凹入面２ｅと元側傾斜凹入面２ｆとを形成していない実施形態のものを第５実施形態とする。従って、シートベース２の先側載置面２Ａと元側載置面２Ｂの両横側方には、傾斜面ではなく、円弧面を形成してもよい。
【００５０】
〔第６実施形態〕
第１実施形態の内、ゴムグリップ６の膨出部６Ｂと可動フードＤの中間縮径部５ｊと受止部５ｋとを形成していない実施形態のものを第６実施形態とする。したがって、ゴムグリップ６では、膨出部６Ｂを形成せずに外周面を一定の外径を呈するものに形成し、可動フードＤにおいても中間縮径部５ｊと受止部５ｋに相当する部分を一定の外径を呈する部分に構成してもよい。
【００５１】
〔第７実施形態〕
次に、シートベース２と可動フードＤ、ナット体７とが第１実施形態のものとは異なる仕様のものを記述する。図１２に示すように、シートベース２を筒状でかつ外周面が滑らかに連続する曲面に形成し、竿先側に固定フード３を一体形成してある。シートベース２の竿元側部分には雄ねじ部４を刻設してあり、この雄ねじ部４にナット体７が螺合されており、このナット体７の竿先側に可動フードＤが連結されている。シートベース２のリール脚載置面２Ｅは、先側載置面２Ａから元側載置面２Ｂに相当する部分を連続する状態で形成してある。
脚押さえ体８の構造は、図１０及び図１１に示す構造と同一の構成を採っている。
【産業上の利用可能性】
【００５２】
本願発明は、筒状リールシートＢを装備する磯竿、船竿等に適用することができる。
【符号の説明】
【００５３】
１            元竿（竿体）
２            シートベース
２Ａ          先側載置面（リール脚載置面）
２Ｂ          元側載置面（リール脚載置面）
８            脚押さえ体
８ａ          足挿入空間
８ｄ          甲側当接壁
８ｆ          奥側縦壁
１０Ａ        リール脚
１０ａ        元側足部（先端足部）
Ｄ            可動フード
Ｘ            竿軸線
【図１】
2011010593.tif 000003
【図２】
2011010593.tif 000004
【図３】
2011010593.tif 000005
【図４】
2011010593.tif 000006
【図５】
2011010593.tif 000007
【図６】
2011010593.tif 000008
【図７】
2011010593.tif 000009
【図８】
2011010593.tif 000010
【図９】
2011010593.tif 000011
【図１０】
2011010593.tif 000012
【図１１】
2011010593.tif 000013
【図１２】
2011010593.tif 000014
【図１３】
2011010593.tif 000015